(57)【要約】【課題】本発明は、本体の設置面積で特に奥行き方向を小さくすることができ、本体内部の読取部下方かつ記録部前方の無駄な空間を有効活用でき、装置本体を小型化させることができ、装置本体全体の装置制御部からその他の基板へのケーブル接続を容易にし、組立性を向上させることができ、高さを低くすることができる画像読取記録装置を提供することを目的とする。【解決手段】本発明に係る画像読取記録装置の代表的な構成は、キャリッジ１８を走査しつつインクを吐出することにより記録シートに記録を行う記録部Ａと、記録部Ａに被記録材を給送する給送ユニットＣと、記録部Ａの略上方に配置され、被読取対象物の画像を読み取る読取ユニットＢと、記録部Ａ上方かつ読取ユニットＢ下方に配置され、装置全体を制御するシステムコントロール基板２１と、を有する画像読取記録装置において、システムコントロール基板２１の下方かつ記録部Ａの前方に画像読取記録装置の回線との通信を制御するネットワークコントロール基板２３を配置することを特徴とする。【選択図】    図３
2004235830.tif 000002
【特許請求の範囲】
【請求項１】
キャリッジを走査しつつインクを吐出することにより被記録媒体に記録を行う記録部と、該記録部に被記録材を給送する給送手段と、前記記録部の略上方に配置され、被読取対象物の画像を読み取る画像読取手段と、前記記録部上方かつ前記画像読取手段下方に配置され、装置全体を制御する装置制御部と、を有する画像読取記録装置において、
前記装置制御部の下方かつ前記記録部の前方に画像読取記録装置の回線との通信を制御する通信制御部を配置することを特徴とする画像読取記録装置。
【請求項２】
前記通信制御部は前記装置制御部の鉛直方向真下に配置されていることを特徴とする請求項１に記載の画像読取記録装置。
【請求項３】
前記給送手段の下方に装置電源部を配置することを特徴とする請求項１に記載の画像読取記録装置。
【請求項４】
前記給送手段の下方に公衆電話回線等からのデータを接続する回線接続部を配置することを特徴とする請求項１に記載の画像読取記録装置。
【請求項５】
前記装置制御部の前方に操作部を配置したことを特徴とする請求項１に記載の画像読取記録装置。
【請求項６】
前記装置制御部における被記録媒体の搬送方向と直交する主走査方向の片側の隣接した位置に前記記録ヘッドや該記録ヘッドへインクを供給するインクタンクを交換する交換スペースを設けたことを特徴とする請求項１に記載の画像読取記録装置。
【請求項７】
前記画像読取手段は前記画像読取手段奥部を回動中心として回動可能に構成され、前記回動中心は前記装置電源部、回線接続部よりも前方にあることを特徴とする請求項３又は請求項４に記載の画像読取記録装置。
【請求項８】
前記画像読取手段を回動することにより、前記記録ヘッドおよびインクタンクが交換可能なように構成されことを特徴とする請求項６又は請求項７に記載の画像読取記録装置。
【請求項９】
前記画像読取手段を回動して開いた状態を保持する保持機構を設けたことを特徴とする請求項６乃至請求項８のいずれかに記載の画像読取記録装置。
【請求項１０】
前記画像読取手段を回動方向に付勢するダンパー機構を設けたことを特徴とする請求項６乃至請求項９のいずれかに記載の画像読取記録装置。
【請求項１１】
前記保持機構は前記記録ヘッドおよびインクタンクの交換スペースを挟んで前記装置制御部の反対側に配置されていることを特徴とする請求項９又は請求項１０に記載の画像読取記録装置。
【請求項１２】
前記ダンパー機構は前記記録ヘッドおよびインクタンクの交換スペースを挟んで前記装置制御部の反対側に配置されていることを特徴とする請求項１０又は請求項１１に記載の画像読取記録装置。
【発明の詳細な説明】
【０００１】
【発明の属する技術分野】
本発明は、ファクシミリ、複写機、複合機などの画像読取記録装置に関するものである。
【０００２】
【従来の技術】
従来、図２２に示すように、画像読取記録装置は、画像読取部６０１に対して、下方に記録部６０２があり、記録部６０２の後方に、制御基板６０３、電源６０４、さらにはファクシミリ装置の場合に必要な通信制御基板等が配置されている。記録シートの送り方向は矢印Ｈ方向に送られている。また、給送カセット部が記録部の下にあり、Ｕターンして記録部に記録シートが送られるような構成をとっているものがある（例えば、特許文献１参照）。
【０００３】
【特許文献１】
特開２００１−３３４６４８号公報
【０００４】
【発明が解決しようとする課題】
しかしながら、前者の画像読取記録装置は、記録部の後方に電源、制御基板等を設けているため、後ろ方向に出っ張り、設置面積が大きくなるという問題があった。また、制御基板と操作部、画像読取部が離れているため、束線が長くなり、組立性が悪くなるという問題があった。また、画像読取部６０１の下方で記録部の前面に無駄なスペースが生じていたため装置全体が大きくなってしまう問題があった。
【０００５】
また、後者の画像読取記録装置は、いわゆるＵターン給送を採用しているため、後ろの出っ張りはないが給送部の厚みで、高さが高くなってしまうという問題があった。
【０００６】
そこで本発明は、本体の設置面積で特に奥行き方向を小さくすることができ、本体内部の読取部下方かつ記録部前方の無駄な空間を有効活用でき、装置本体を小型化させることができ、装置本体全体の装置制御部からその他の基板へのケーブル接続を容易にし、組立性を向上させることができ、高さを低くすることができる画像読取記録装置を提供することを目的とする。
【０００７】
【課題を解決するための手段】
上記課題を解決するために本発明に係る画像読取記録装置の代表的な構成は、キャリッジを走査しつつインクを吐出することにより被記録媒体に記録を行う記録部と、該記録部に被記録材を給送する給送手段と、前記記録部の略上方に配置され、被読取対象物の画像を読み取る画像読取手段と、前記記録部上方かつ前記画像読取手段下方に配置され、装置全体を制御する装置制御部と、を有する画像読取記録装置において、前記装置制御部の下方かつ前記記録部の前方に画像読取記録装置の回線との通信を制御する通信制御部を配置することを特徴とする。
【０００８】
【発明の実施の形態】
本発明に係る画像読取記録装置の実施形態について、図を用いて説明する。
【０００９】
図１〜図３に示すように、画像読取記録装置は、コピー動作、ファクシミリ受信動作、プリンタ動作、メモリーカード動作を行う複合機であり、インクジェット記録装置である記録ユニットＡ、被読取対象物としての原稿を光学的に読み取る画像読取手段としての読取ユニットＢ、積載された被記録材（以下記録シートという）を分離して記録ユニットに供給する給送手段としての給送ユニットＣ、電装部にて構成されている。記録ユニットＡと給送ユニットＣはプリンタユニットとしてボトムカバー３３に取り付けられている。
【００１０】
コピー動作、ファクシミリ受信動作、プリンタ動作、メモリーカード動作のいずれかのう動作が作動すると、オートシートフィーダ１に収納積載された記録シートは、スライダ２によって側面をガイドされつつ、給送ローラ３および分離ローラ４によって１枚だけ分離搬送される。その後、搬送ローラ５と対向配置されたコロ６とで挟持されて記録ヘッド１０へ搬送される。
【００１１】
記録ヘッド１０にて所定の画像情報により画像形成された記録シートは、排出ローラ７ａ、７ｂと拍車８ａ、８ｂによって装置本体の前部に設けられた排出トレイ９上に排出される。
【００１２】
（読取ユニットＢ）
一方、画像読取手段であるフラットベッドスキャナ（読取ユニットＢ）は、密着型イメージセンサ１１を有し、密着型イメージセンサ１１はキャリッジ１２に支持され、記録シートの搬送方向（副走査方向）に平行なガイド軸１３に沿って移動可能である。キャリッジ１２の移動は不図示のモータにより駆動するタイミングベルト１５によって行われる。イメージセンサ１１は図示しない光源とレンズと光電変換素子を内蔵しており、原稿載置台としてのコンタクトガラス１６の裏面を一定の距離を保って移動する。
【００１３】
コピー動作が行われる場合には、密着型イメージセンサ１１がコンタクトガラス１６に載置れた原稿を読み取り、読み取られた画像はフレキシブルケーブル５４により本体画像処理部であるシステムコントロール基板２１に電送される。
【００１４】
（記録部Ａ）
図３〜図６、図２１に示すように、記録部Ａの記録ヘッド１０は、インクタンク３１を別体とし、インクが無くなった時にはインクタンク３１のみ新品と交換し得るカートリッジ式のインクジェット記録ヘッドを用いている。記録ヘッド１０はキャリッジ１８に保持されている。キャリッジ１８は、ガイド棒１９と突き当て部（不図示）により摺動自在に保持され、モータ６９によって駆動されるプーリ（不図示）及びタイミングベルト２０によって記録シートの搬送方向（副走査方向）と直交する主走査方向に往復移動する。
【００１５】
キャリッジ１８の往復走査時に記録ヘッド１０に与える記録信号及び電力は、フレキシブルケーブル（不図示）によって本体の電気回路より供給されている。記録ヘッド１０とフレキシブルケーブルとはお互いの接点を圧接して接続している。
【００１６】
本実施形態で用いる記録ヘッド１０は、ノズル内に設けた電気熱変換素子の発熱によってインク中に生じた膜沸騰の圧力によってノズル先端の吐出口よりインクを吐出するものである。
【００１７】
（電装部）
図３〜図７に示すように、電装部は、装置全体を制御するための装置制御部であるシステムコントロール基板２１、通信制御部であるネットワークコントロール基板２３、回線接続部である回線モジュラー基板２４、装置電源部である電源ユニット２６、操作部であるオペレーションコントロール基板２７、メモリーカード基板２８、中継基板２９、３０等からなっている。
【００１８】
システムコントロール基板２１は主に装置全体のシステムと記録系を制御する。ネットワークコントロール基板２３は主に画像読取記録装置の回線との通信を制御する。回線モジュラー基板２４は公衆電話回線等からのデータを接続する。電源ユニット２６は装置に電源を供給する。オペレーションコントロール基板２７は操作パネルのキーやＬＥＤを実装している。メモリーカード基板２８は主にコンパクトフラッシュ、コンパクトフラッシュｔｙｐｅＩＩ、スマートメディア（商標）、メモリースティック（商標）、ＳＤカード（商標）、マルチメディアカード（商標）等の各種メモリーカードのコネクタやＬＥＤを実装している。中継基板２９、３０は各種センサ等と高熱を発する各種モータドライバやコンデンサ等を実装してシステムコントロール基板２１へ中継する。
【００１９】
各電装基板２１、２３、２４、２６〜３０のレイアウトについて順に説明する。
【００２０】
システムコントロール基板２１は、記録ユニットＡの上方かつ読取ユニットＢの下方で装置左右方向（主走査方向）の片側（本実施形態においては装置正面から見て右側）に配置され図示しない板金に固定されてミドルフレーム３４に水平に取り付けられており、その上方をカバー部材であるシステムコントロール基板カバー４１で覆っている。これにより、記録ユニットＡの上方の装置左右方向中央部に、記録部の記録ヘッド１０又はインクタンク３１を交換する交換スペースを設けることができる。
【００２１】
この交換スペースを挟んでシステムコントロール基板２１と反対側の領域（本実施形態においては装置正面から見て左側）は、読取ユニットＢの開閉時に必要なダンパー機構や保持機構（トーションバーやトーションバネ等）を設けている。
【００２２】
システムコントロール基板２１上には、電装基板からの接続ケーブルコネクタ等の背の高い空間を必要とする部品を比較的基板上の前後方向の端部に近い領域に実装し、装置本体全体のシステム制御やプリンタを制御するチップおよびメモリ等のチップやＲＯＭ等の背の低い部品を基板上の中央部で特に記録ヘッド１０およびインクタンク３１の交換スペースのサイド領域に集中実装させている。これにより、システムコントロール基板カバー４１は、比較的背の低いチップ等が実装されている領域上を低く覆うことができ、空間をさらに広げることが可能となり、記録ヘッド１０およびインクタンク３１の交換作業時における操作性を向上させることができる。
【００２３】
また、システムコントロール基板２１上には、ＵＳＢコネクタ（不図示）が装置背面側でかつ給送ユニットＣの左右方向外側でＵＳＢケーブル（不図示）と接続できるように実装されている。これにより、ＵＳＢケーブルを装置背面側のデッドスペースで処理できるとともに、比較的装置本体の上方にＵＳＢコネクタ２２が配置されているため装置本体の背面を壁に密着させて設置させてもＵＳＢケーブルのコネクタへの接続を容易にすることができる。
【００２４】
また、システムコントロール基板２１上には、読取ユニットＢからの画像データを電送するフレキシブルケーブル５４のコネクタが基板上の比較的背面側付近に実装されている。これにより、読取ユニットＢの回動軸１７と近いことからフレキシブルケーブル５４を最短の長さで形成できるとともに読取ユニットＢの開閉動作時でもフレキシブルケーブル５４のたわみや突っ張り等を防止できる。
【００２５】
ここで、システムコントロール基板２１を覆うシステムコントロール基板カバー４１の役割とその取り付けについて図８〜図１０を用いて説明する。
【００２６】
システムコントロール基板カバー４１は前述したようにシステムコントロール基板２１を使用者に触れさせないように覆うとともに、記録ヘッド１０およびインクタンク３１の交換作業時のアクセスガイドとしての役割がある。また、密着型イメージセンサ１１からのフレキシブルケーブル５４をシステムコントロール基板２１上のコネクタ５５へ接続させるガイドとしての役割を持つ。また、外部からのＵＳＢケーブル（不図示）をＵＳＢコネクタ２２へ接続させるガイドやＵＳＢケーブル接続時の不用意なこじりによるコネクタ剥がれをカバー４１の一部４１ａで上方から押さえつけて防止させる役割を持つ。
【００２７】
一方、サービスマンの作業のなかでシステムコントロール基板２１のメンテナンス作業（ＲＯＭ５６の交換などを含む）時に、図９のように読取ユニットＢを開放状態にしてシステムコントロール基板カバー４１を取り外すだけで、装置本体をその場で設置された状態のままで移動させること無く正面から容易にＲＯＭ５６を矢印Ｊ方向へ外すことができる役割もある。システムコントロール基板カバー４１の取り外しは、図９でネジ５７を矢印Ｋ方向に外し、図１０でシステムコントロール基板カバー４１を矢印Ｉ方向へ外して行う。
【００２８】
システムコントロール基板カバー４１は、奥側にフック部４１ｂを設け、手前側にネジ固定部４１ｃを設けている。このフック部４１ｂ、ネジ固定部４１ｃをそれぞれミドルフレーム３４の引っ掛け部３４ａとネジボス部３４ｂに固定されている。これにより読取ユニットＢを開状態にするだけで手前側の領域が開放されてネジ５７による固定や取り外し作業時の工具を容易に使用することができる。
【００２９】
次に、ネットワークコントロール基板２３は、システムコントロール基板２１の下方かつ記録ユニットＡの手前に配置されかつ、ネットワークコントロール基板２３の手前側の端部が上方から見てシステムコントロール基板２１の手前側端部よりはみ出す位置に配置され、ミドルフレーム３４に取り付けられている。
【００３０】
ネットワークコントロール基板２３の手前側のはみ出し量は、ネットワークコントロール基板２３とシステムコントロール基板２１とを接続するためのネットワークコントロール基板２３側のケーブルコネクタ群（不図示）の領域が真上から見える量を最低限有する量となっている。これにより、システムコントロール基板２１の下方手前側の無駄な空間を無くすことができ装置全体の小型化できるとともに、システムコントロール基板２１への接続ケーブル類を短くし、ケーブルの差し忘れ防止といった組立性を向上させたりすることができる。
【００３１】
次に、回線モジュラー基板２４と電源ユニット２６は、図４に示すように両者を給送ユニットＣの下部に集中配置させ図示しない板金に両基板２４、２６を覆うカバー部材（不図示）とともに固定されてボトムフレーム３３に取り付けられている。そして、回線モジュラー基板２４とネットワークコントロール基板２３とがケーブル接続され、電源ユニット２６とシステムコントロール基板２１がケーブル接続されている。これにより、回線モジュラー基板２４と電源ユニット２６とのアレスターグランド（不図示）を短く接続することができる。さらに、両基板２４、２６はシステムコントロール基板２１等と比べて比較的面積の小さい基板であるため、これらを給送ユニットＣの下方に配置させることで装置全体の設置面積で特に奥行き方向を小さくさせることができる。また、電源コードや回線モジュラーコード等の外部接続ケーブル類の接続を装置背面側にまとめて処理できる。
【００３２】
次に、オペレーションコントロール基板２７は、装置操作性の観点から装置前面に斜めに配置され操作カバー３６に取り付けられている。
【００３３】
次に、メモリーカード基板２８は、オペレーションコントロール基板２７の中央かつ下方に配置され図示しない板金に固定されて操作下カバー３５に取り付けられている。オペレーションコントロール基板２７とメモリーカード基板２８はいずれもシステムコントロール基板２１の近傍に配置されているためシステムコントロール基板２１への接続ケーブル類を短くすることができる。
【００３４】
ここで、オペレーション基板２７およびメモリーカード基板２８周辺の構成について説明する。まず、図１１に示すように、パネルカバー３６には、裏面に各種操作ボタン群５８が軽圧入等で取り付けられ、その下から静電対策用のシート５９を挟んでオペレーションコントロール基板２７がその下のシート６０とともにネジ留めされて固定されている。シート６０はオペレーションコントロール基板２７の操作ボタン群５８からの入力情報やＬＣＤ６３およびＬＥＤ等の表示情報をシステムコントロール基板２１へ伝送するためのフレキシブルケーブル（不図示）がオペレーションコントロール基板２７裏面の素子足等に触れるのを防止させるためのものである。
【００３５】
一方、操作下カバー３５には、前面から見て中心３５ａに図示しないＬＥＤの点灯を表示するＬＥＤカバー（不図示）が裏面から取り付けられており、その両サイドには複数のメモリーカードの挿入口３５ｂ、３５ｃが設けられている。操作下カバー３５の上には、静電対策（避雷針）用の板金６１が上から取り付けられたメモリーカード基板２８が取り付けられている。メモリーカード基板２８上には前述した複数のメモリーカードが操作下カバー３５の挿入口３５ｂ、３５ｃから挿入された各種メモリーカードと接続するコネクタ６２ａ、６２ｂが実装されている。前述したＬＥＤ（不図示）は、メモリーカードの動作状況等を認識して点灯する。こうした構成において、操作カバー３６と操作下カバー３５が上下方向に合体して基板２７、２８等を覆っている。
【００３６】
メモリーカードの挿抜について説明する。図１２、図１３はメモリーカード６４、６５をカード挿入口３５ｂ、３５ｃへ挿入する前の状態を表す操作部周辺の斜視図と側面図、図１４はメモリーカード６４、６５が挿入されている状態を表す操作部周辺の側面図である。図１２〜図１４のように使用者はメモリーカード６４、６５を装置本体前面から水平方向にそれぞれの挿入口３５ｂ、３５ｃへ挿抜する。図１４のように、挿入された状態においてメモリーカード６４、６５の後端部６４ａ、６５ａが挿入口３５ｂ、３５ｃよりｙ量だけはみだしている。これにより、メモリーカードの挿抜時のつまみシロを確保させている。
【００３７】
また、カード挿入口３５ｂ、３５ｃの上方において、は装置本体前面の先端部である操作カバー３６の先端が挿入口３５ｂ、３５ｃよりｘ量だけはみ出して段差を形成している。これにより、挿入口３５ｂ、３５ｃへの装置本体上方からの異物混入を防止することができる。
【００３８】
また、はみ出し量ｘは、はみ出し量ｙより多いため（ｘ−ｙ＞０）、メモリーカード挿入時において装置本体前面からの障害物を操作カバー３６の先端のはみ出し部で先当たりさせてメモリーカード６４、６５への不用意な衝撃を防止することができる。
【００３９】
次に、中継基板２９は、記録ユニットＡ内の背面部に配置されており、中継基板３０は給送ユニットＣの片側側面部（本実施形態においては本体正面から見て左側面側）に配置されている。中継基板２９、３０は不図示のケーブルで接続されておいる。中継基板３０には、主に読取ユニットＢからのモータケーブル（不図示）のコネクタが実装されている。中継基板２９には、主に記録ユニットＡや給送ユニットＣ内の各種モータからのケーブル（不図示）を接続するコネクタ類やモータドライバ、コンデンサ等の高温を発生させる部品（不図示）が実装されている。また、中継基板２９には、給送ユニットＣ内で搬送された記録シートの先端および後端を検出するセンサ（不図示）や読取ユニットＢの開閉を検出するカバーセンサ３２およびその他の図示しないセンサケーブルのコネクタ類も実装されている。さらに中継基板２９には、中継基板２９とシステムコントロール基板２１をケーブルとフレキシブルケーブルで接続するコネクタ類が実装されている。
【００４０】
このように、特に前述した高温を発生させる部品を中継基板２９内の限定した領域に集中実装させることで、異物落下対策のための図示しない中継基板カバーを基板全体にわたって配置する必要がないため省スペース設計ができるとともに、高温を発生させる部品を記録ヘッド１０やインクタンク３１の交換スペースに隣接して水平配置されることで放熱対策の難易度が高いシステムコントロール基板２１内に実装させないことでシステムコントロール基板２１部分の放熱対策を簡易化することができる。
【００４１】
上述のごとく、電装部のレイアウトを記録ユニットＡの下部に各電装基板を配置しない構成としたことにより、記録ユニットＡのインクジェット方式記録部からインクが流出しても電装類に接触することがなく、各電装基板のショートを防止することができる。
【００４２】
（インクタンク、記録ヘッドの交換操作）
次に、本実施形態におけるインクタンク３１および記録ヘッド１０の交換操作を図１５、図１６を用いて説明する。
【００４３】
インクタンク３１および記録ヘッド１０を交換させるためには、キャリッジ１８を主走査方向ほぼ中央へ移動させる必要がある。そのためにまず使用者は、ロック解除ボタン３９（図１参照）を押すことで、読取ユニットＢの後述するロック機構が解除され、トーションバー等のバネ力により回動軸１７を中心に矢印Ｅ方向へ回転し、後述する保持機構により保持される。
【００４４】
このとき読取ユニットＢ内の読取フレーム４０の一部である突起部４０ａが中継基板２９に取り付けられたカバーセンサレバー３７から離れ、カバーセンサレバー３７は回動軸３７ａを中心として図示しないねじりコイルバネ等により矢印Ｇ方向へ回動する。これにより、中継基板２９に実装されたカバーセンサ３２が読取ユニットＢの開状態を検出し、モータ６９によって駆動されるプーリ（不図示）及びタイミングベルト２０によって自動でキャリッジ１８を主走査方向中央部へと移動させることができる。この状態でインクタンク３１を矢印Ｈ方向へ着脱可能にさせることができる。
【００４５】
また、記録ヘッド１０の交換においては、インクタンク３１を取り外した状態においてカートリッジレバー３８を図の回動軸３８ａを中心に矢印Ｆ方向へ回動させることでキャリッジ１８と記録ヘッド１０との位置決めロック機構および記録信号などを記録ヘッド１０に伝達させるフレキシブルケーブル（不図示）との圧接機構が解除された状態（図２１の左図の状態）で、記録ヘッド１０の脱着を行う。記録ヘッド１０の交換作業が終了した後で、使用者はカートリッジレバー３８および読取ユニットＢをそれぞれ元の状態にもどし、これによりカバーセンサレバー３８を介してカバーセンサ３２が働き読取ユニットＢを閉状態と検出してキャリッジ１８を自動的に待機位置へ移動させる。これにより一連の記録ヘッド１０およびインクタンク３１の交換作業を終了する。
【００４６】
（読取ユニットＢの開閉動作）
次に、読取ユニットＢの開閉動作時のロック機構および回動時のダンパー機構および開放時の保持機構について図１７〜図２０を用いて説明する。まずロック機構について説明する。図１７に示すように、読取ユニットＢが閉まった閉状態で、ロックレバー４５の端部４５ａはフック形状しており読取ユニットＢ内に固定されたロック受け板金４６に引っ掛かりロック状態となっている。
【００４７】
読取ユニットＢがロックされている状態でロック解除ボタン３９（図１参照）を押すと紙面に垂直な方向へロックシャフト４３が移動し、ロックシャフト４３の先端に接したロックレバー４５がロック軸４４を回動中心として回動する。ロックレバー４５が回動することでロックレバー４５のフック部４５ａが受けロック板金４６から外れ、ダンパー機構であるトーションバー４７のバネ力により読取ユニットＢを回動軸１７を中心として矢印Ｅ方向へ回動させる（図１８参照）。その後、ロックレバー４５は不図示のバネにより回動して最初の状態に戻る。
【００４８】
トーションバー４７は、腕部４７ａ、４７ｂ、回転軸４７ｃから構成されている。腕部４７ａは回転軸４７ｃを中心として矢印Ｅ方向に回動可能であり、腕部４７ｂは複数個の止め板金４８ａ、４８ｂによってミドルフレーム３４に固定されている。自然状態においてこのトーションバー４７は図１８の状態よりも腕部４７ａと腕部４７ｂとの角度が大きくなっており、図１７の状態では常にバネ力が矢印Ｅ方向へと働いている。このため、ロック機構が解除されるとともに読取ユニットＢを回動途中位置から手を離しても、トーションバー４７により読取ユニットＢの自重で閉状態となることなく矢印Ｅ方向へ回動し開状態（図１８の状態）となる。
【００４９】
つづいて読取ユニットＢの開放時の保持機構について説明する。図１９に示すように、ジョイント下カバー５１は、ミドルフレーム３４内の記録ヘッド１０およびインクタンク３１の交換スペースの横（システムコントロール基板２１の領域と反対側部）に取り付けられている。ジョイント下カバー５１には、両端がフック形状したジョイントバネ４９（コイルバネ）のフック部４９ａが引っ掛けられている。ジョイントバネ４９の他端のフック部４９ｂはジョイント下カバー５１の一部の摺動面５１ｂ上を摺動して動くジョイント５０の引っ掛け部５０ｃに引っ掛けられている。
【００５０】
ジョイント５０は、ジョイント下カバー５１内の摺動面５１ｂ上と摺動する突起部５０ａを有し、引っ掛け部５０ｃを挟んで反対側には回動軸５０ｂが設けられている。回動軸５０ｂは読取ユニットＢ内に取り付けられたジョイント保持部材５３に回動自在に取り付けられている。また、摺動する突起部５０ａの上方向を規制するジョイントカバー５２がミドルフレーム３４に取り付けられており、ジョイント５０の動きをジョイント下カバー５１とともに規制している。
【００５１】
図１９〜図２０に示す読取ユニットＢの閉状態から開放保持状態までの動作において、まず読取ユニットＢが開放されるにつれてジョイントバネ４９が引っ張られた状態から自然状態に戻ろうとしてジョイント５０の突起部５０ａをジョイント下カバー５１の摺動面５１ｂを摺動させる。摺動面５１ｂの終点部付近には突起５１ａが設けられており、ジョイント５０の突起部５０ａが摺動面５１ｂ上の突起５１ａを乗り越えたところで読取ユニットＢが保持される。このとき、ジョイントバネ４９はまだ自然状態まで戻っておらず、ジョイントバネ４９による付勢力により読取ユニットＢの開放保持状態をより安定させている。
【００５２】
読取ユニットＢの閉まる動作は、上述の開く動作の反対の動作により行われ、ロックレバー４５の端部４５ａが読取ユニットＢ内に固定されたロック受け板金４６に引っ掛かりロック状態となる。
【００５３】
【発明の効果】
以上説明したように、装置制御部の下方かつ記録部の前方に画像読取記録装置の回線との通信を制御する通信制御部を配置した。これにより、本体内部の読取部下方かつ記録部前方の無駄な空間を有効活用でき、装置本体を小型化させることができる。
【００５４】
また、給送手段の下方に装置電源部、回線接続部を配置することにより、装置本体の設置面積で特に奥行き方向を小さくすることができる。
【００５５】
また、通信制御部は前記装置制御部の鉛直方向真下に配置され、装置制御部の前方に操作部を配置した。これにより、装置制御部からその他の基板へのケーブル接続を容易にし、組立性を向上させることができる。
【００５６】
また、装置制御部における被記録媒体の搬送方向と直交する主走査方向の片側の隣接した位置に前記記録ヘッドや該記録ヘッドへインクを供給するインクタンクを交換する交換スペースを設けた。これにより、記録ヘッドおよびインクタンクの交換作業時における操作性を向上させることができる。
【００５７】
また、画像読取手段は前記画像読取手段奥部を回動中心として回動可能に構成され、前記回動中心は前記装置電源部、回線接続部よりも前方に設けたことにより、読取手段と装置制御部とをつなぐケーブルを最短の長さで形成できるとともに読取手段の開閉動作時でもケーブルのたわみや突っ張り等を防止できる。
【図面の簡単な説明】
【図１】本実施形態にかかる画像読取記録装置の正面を示す外観斜視図である。
【図２】画像読取記録装置の背面を示す外観斜視図である。
【図３】画像読取記録装置の断面図である。
【図４】画像読取記録装置のの内部構造を示す分解斜視図である。
【図５】プリンタユニットの斜視図である。
【図６】プリンタユニットの斜視図である。
【図７】記録ユニットおよび給送ユニットと中継基板の分解斜視図である。
【図８】システムコントロール基板カバー（取り付け状態）を示す断面図である。
【図９】システムコントロール基板カバー（取り付け状態）を示す断面図である。
【図１０】システムコントロール基板カバー（取り外し状態）を示す断面図である。
【図１１】操作部内の構成を示す分解斜視図である。
【図１２】メモリーカード挿入前の状態を表す操作部周辺の斜視図である。
【図１３】メモリーカード挿入前の状態を表す操作部周辺の側面図である。
【図１４】メモリーカード挿入時の状態を表す操作部周辺の側面図である。
【図１５】インクタンクおよびヘッドの交換操作（待機状態）を示す断面図である。
【図１６】インクタンクおよびヘッドの交換操作（交換時状態）を示す断面図である。
【図１７】読取ユニットの回動時のロック状態を示す断面図である。
【図１８】読取ユニットの回動時のダンパー機構を示す断面図である。
【図１９】読取ユニット開放時の保持機構（ロック状態）を示す断面図である。
【図２０】読取ユニット開放時の保持機構（開放時の保持状態）を示す断面図である。
【図２１】記録ヘッドとインクタンクの取り付け状態を示す斜視図である。
【図２２】従来の画像読取記録装置本体内部の斜視図である。
【符号の説明】
Ａ        …記録ユニット（記録部）
Ｂ        …読取ユニット（読取手段）
Ｃ        …給送ユニット（給送手段）
Ｄ        …回線接続部及び装置電源部
１        …オートシートフィーダ
２        …スライダ
３        …給送ローラ
４        …分離ローラ
５        …搬送ローラ
６        …コロ
７        …排出ローラ
８        …拍車
９        …排出トレイ
１０        …記録ヘッド
１１        …密着型イメージセンサ
１２        …キャリッジ
１３        …ガイド軸
１５        …タイミングベルト
１６        …コンタクトガラス
１７        …回動軸
１８        …キャリッジ
２０        …タイミングベルト
２１        …システムコントロール基板
２２        …コネクタ
２３        …ネットワークコントロール基板
２４        …回線モジュラー基板
２６        …電源ユニット
２７        …オペレーションコントロール基板
２８        …メモリーカード基板
２９、３０        …中継基板
３１        …インクタンク
３２        …カバーセンサ
３３        …ボトムカバー
３４        …ミドルフレーム
３６        …操作カバー
３７、３８        …カートリッジレバー
４０        …読取フレーム
４１        …システムコントロール基板カバー
４２        …コネクタ
４３        …ロックシャフト
４４        …ロック軸
４５        …ロックレバー
４６        …板金
４７        …トーションバー
４８ａ、４８ｂ    …止め板金
４９        …ジョイントバネ
５０        …ジョイント
５１        …ジョイント下カバー
５２        …ジョイントカバー
５３        …ジョイント保持部材
５４        …フレキシブルケーブル
５５        …コネクタ
５６        …ＲＯＭ
５７        …ネジ
５８        …種操作ボタン群
５９、６０        …シート
６１        …板金
６２ａ、６２ｂ    …コネクタ
６３        …ＬＣＤ
６４        …メモリーカード
６９        …モータ
【図１】
2004235830.tif 000003
【図２】
2004235830.tif 000004
【図３】
2004235830.tif 000005
【図４】
2004235830.tif 000006
【図５】
2004235830.tif 000007
【図６】
2004235830.tif 000008
【図７】
2004235830.tif 000009
【図８】
2004235830.tif 000010
【図９】
2004235830.tif 000011
【図１０】
2004235830.tif 000012
【図１１】
2004235830.tif 000013
【図１２】
2004235830.tif 000014
【図１３】
2004235830.tif 000015
【図１４】
2004235830.tif 000016
【図１５】
2004235830.tif 000017
【図１６】
2004235830.tif 000018
【図１７】
2004235830.tif 000019
【図１８】
2004235830.tif 000020
【図１９】
2004235830.tif 000021
【図２０】
2004235830.tif 000022
【図２１】
2004235830.tif 000023
【図２２】
2004235830.tif 000024